【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
不飽和二重結合を有する光重合性高分子化合物（１）、光重合開始剤（２）、アルカリ可溶性樹脂（３）、重合性モノマー又はオリゴマー（４）、色材（５）及び溶剤（６）を含むカラーフィルター用組成物において、前記（１）が、下記一般式（Ｉ）及び（II）で表される繰り返し単位を有する重合体であることを特徴とする着色感光性組成物。
【化１】
2004240396.tif 000001
（一般式（Ｉ）及び（ＩＩ）中、Ｘ1及びＸ2は、各々独立に、水素原子又はメチル基を表す。Ｒ1は、−Ａ又は−Ｂ−Ａを表し、Ａは置換基を有してもよい脂環式炭化水素基を表し、Ｂは置換基を有してもよいアルキレン基を表し、Ｚは２価の連結基を表す。）
【請求項２】
不飽和二重結合を有する光重合性高分子化合物（１）、光重合開始剤（２）、アルカリ可溶性樹脂（３）、重合性モノマー又はオリゴマー（４）、色材（５）及び溶剤（６）を含むカラーフィルター用組成物において、前記（３）が、下記一般式（Ｉ）及び（II）で表される繰り返し単位を有し、酸価が１０〜３００ｍｇＫＯＨ／ｇの重合体であることを特徴とする着色感光性組成物。
【化２】
2004240396.tif 000002
（一般式（Ｉ）及び（ＩＩ）中、Ｘ1及びＸ2は、各々独立に、水素原子又はメチル基を表す。Ｒ1は、−Ａ又は−Ｂ−Ａを表し、Ａは置換基を有してもよい脂環式炭化水素基を表し、Ｂは置換基を有してもよいアルキレン基を表し、Ｚは２価の連結基を表す。）
【請求項３】
不飽和二重結合を有する光重合性高分子化合物（１）、光重合開始剤（２）、アルカリ可溶性樹脂（３）、重合性モノマー又はオリゴマー（４）、色材（５）及び溶剤（６）を含むカラーフィルター用組成物において、前記（１）及び（３）が、下記一般式（Ｉ）及び（II）で表される繰り返し単位を有し、酸価が１０〜３００ｍｇＫＯＨ／ｇの重合体であることを特徴とする着色感光性組成物。
【化３】
2004240396.tif 000003
（一般式（Ｉ）及び（ＩＩ）中、Ｘ1及びＸ2は、各々独立に、水素原子又はメチル基を表す。Ｒ1は、−Ａ又は−Ｂ−Ａを表し、Ａは置換基を有してもよい脂環式炭化水素基を表し、Ｂは置換基を有してもよいアルキレン基を表し、Ｚは２価の連結基を表す。）
【請求項４】
前記一般式（II）におけるＺが、水酸基を有する脂環式構造を含む２価の連結基であることを特徴とする請求項１〜３のいずれか１項に記載の着色感光性組成物。
【請求項５】
前記一般式（Ｉ）及び（II）で表される繰り返し単位を有する重合体の重量平均分子量が５０００以上である請求項１〜４のいずれか１項に記載の着色感光性組成物。
【請求項６】
色材（５）及び溶剤（６）、場合によっては更に不飽和二重結合を有する光重合性高分子化合物（１）を含む色材分散組成物に、不飽和二重結合を有する光重合性高分子化合物（１）、光重合開始剤（２）、アルカリ可溶性樹脂（３）、重合性モノマー又はオリゴマー（４）及び溶剤（６）を混合して着色感光性組成物を製造する方法において、前記（１）及び／又は（３）として、下記一般式（Ｉ）及び（II）で表される繰り返し単位を有し、酸価が１０〜３００ｍｇＫＯＨ／ｇの重合体を使用することを特徴とする着色感光性組成物の製造方法。
【化４】
2004240396.tif 000004
（一般式（Ｉ）及び（ＩＩ）中、Ｘ1及びＸ2は、各々独立に、水素原子又はメチル基を表す。Ｒ1は、−Ａ又は−Ｂ−Ａを表し、Ａは置換基を有してもよい脂環式炭化水素基を表し、Ｂは置換基を有してもよいアルキレン基を表し、Ｚは２価の連結基を表す。）
【請求項７】
請求項１〜６のいずれか１項に記載の着色感光性組成物を用いて形成されたカラーフィルター。
【請求項８】
請求項７に記載のカラーフィルターを用いて形成された液晶表示装置。
【請求項９】
不飽和二重結合を有する光重合性高分子化合物（１）、光重合開始剤（２）、アルカリ可溶性樹脂（３）、重合性モノマー又はオリゴマー（４）、及び溶剤（６）を含むカラーフィルター用組成物において、前記（１）が、下記一般式（Ｉ）及び（II）で表される繰り返し単位を有する重合体であることを特徴とするカラーフィルター用組成物。
【化５】
2004240396.tif 000005
（一般式（Ｉ）及び（II）中、Ｘ1及びＸ2は、各々独立に、水素原子又はメチル基を表す。Ｒ1は、−Ａ又は−Ｂ−Ａを表し、Ａは置換基を有してもよい脂環式炭化水素基を表し、Ｂは置換基を有してもよいアルキレン基を表し、Ｚは２価の連結基を表す。）
【請求項１０】
不飽和二重結合を有する光重合性高分子化合物（１）、光重合開始剤（２）、アルカリ可溶性樹脂（３）、重合性モノマー又はオリゴマー（４）、及び溶剤（６）を含むカラーフィルター用組成物において、前記（３）が、下記一般式（Ｉ）及び（II）で表される繰り返し単位を有し、酸価が１０〜３００ｍｇＫＯＨ／ｇの重合体であることを特徴とするカラーフィルター用組成物。
【化６】
2004240396.tif 000006
（一般式（Ｉ）及び（II）中、Ｘ1及びＸ2は、各々独立に、水素原子又はメチル基を表す。Ｒ1は、−Ａ又は−Ｂ−Ａを表し、Ａは置換基を有してもよい脂環式炭化水素基を表し、Ｂは置換基を有してもよいアルキレン基を表し、Ｚは２価の連結基を表す。）
【請求項１１】
不飽和二重結合を有する光重合性高分子化合物（１）、光重合開始剤（２）、アルカリ可溶性樹脂（３）、重合性モノマー又はオリゴマー（４）、及び溶剤（６）を含むカラーフィルター用組成物において、前記（１）及び（３）が、下記一般式（Ｉ）及び（II）で表される繰り返し単位を有し、酸価が１０〜３００ｍｇＫＯＨ／ｇの重合体であることを特徴とするカラーフィルター用組成物。
【化７】
2004240396.tif 000007
（一般式（Ｉ）及び（II）中、Ｘ1及びＸ2は、各々独立に、水素原子又はメチル基を表す。Ｒ1は、−Ａ又は−Ｂ−Ａを表し、Ａは置換基を有してもよい脂環式炭化水素基を表し、Ｂは置換基を有してもよいアルキレン基を表し、Ｚは２価の連結基を表す。）
【請求項１２】
前記一般式（II）におけるＺが、水酸基を有する脂環式構造を含む２価の連結基であることを特徴とする請求項９〜１１のいずれか１項に記載のカラーフィルター用組成物。
【請求項１３】
前記一般式（Ｉ）及び（II）で表される繰り返し単位を有する重合体の重量平均分子量が５０００以上である請求項９〜１１のいずれか１項に記載のカラーフィルター用組成物。
【請求項１４】
請求項９〜１３のいずれか１項に記載のカラーフィルター用組成物を用いて形成されたカラーフィルター。
【請求項１５】
請求項１４に記載のカラーフィルターを用いて形成された液晶表示装置。
【手続補正２】
【補正対象書類名】明細書
【補正対象項目名】００１４
【補正方法】変更
【補正の内容】
【００１４】
又、本発明の他の要旨は、該着色感光性組成物を用いて形成されたカラーフィルター及び該カラーフィルターを用いて形成された液晶表示装置に存する。
又、本発明の他の要旨は、  不飽和二重結合を有する光重合性高分子化合物（１）、光重合開始剤（２）、アルカリ可溶性樹脂（３）、重合性モノマー又はオリゴマー（４）、及び溶剤（６）を含むカラーフィルター用組成物において、前記（１）が、下記一般式（Ｉ）及び（II）で表される繰り返し単位を有する重合体であることを特徴とするカラーフィルター用組成物に存する。
【化８】
2004240396.tif 000008
（一般式（Ｉ）及び（II）中、Ｘ1及びＸ2は、各々独立に、水素原子又はメチル基を表す。Ｒ1は、−Ａ又は−Ｂ−Ａを表し、Ａは置換基を有してもよい脂環式炭化水素基を表し、Ｂは置換基を有してもよいアルキレン基を表し、Ｚは２価の連結基を表す。）
又、本発明の他の要旨は、不飽和二重結合を有する光重合性高分子化合物（１）、光重合開始剤（２）、アルカリ可溶性樹脂（３）、重合性モノマー又はオリゴマー（４）、及び溶剤（６）を含むカラーフィルター用組成物において、前記（３）が、下記一般式（Ｉ）及び（II）で表される繰り返し単位を有し、酸価が１０〜３００ｍｇＫＯＨ／ｇの重合体であることを特徴とするカラーフィルター用組成物に存する。
【化９】
2004240396.tif 000009
（一般式（Ｉ）及び（II）中、Ｘ1及びＸ2は、各々独立に、水素原子又はメチル基を表す。Ｒ1は、−Ａ又は−Ｂ−Ａを表し、Ａは置換基を有してもよい脂環式炭化水素基を表し、Ｂは置換基を有してもよいアルキレン基を表し、Ｚは２価の連結基を表す。）
又、本発明の他の要旨は、不飽和二重結合を有する光重合性高分子化合物（１）、光重合開始剤（２）、アルカリ可溶性樹脂（３）、重合性モノマー又はオリゴマー（４）、及び溶剤（６）を含むカラーフィルター用組成物において、前記（１）及び（３）が、下記一般式（Ｉ）及び（II）で表される繰り返し単位を有し、酸価が１０〜３００ｍｇＫＯＨ／ｇの重合体であることを特徴とするカラーフィルター用組成物に存する。
【化１０】
2004240396.tif 000010
（一般式（Ｉ）及び（II）中、Ｘ1及びＸ2は、各々独立に、水素原子又はメチル基を表す。Ｒ1は、−Ａ又は−Ｂ−Ａを表し、Ａは置換基を有してもよい脂環式炭化水素基を表し、Ｂは置換基を有してもよいアルキレン基を表し、Ｚは２価の連結基を表す。）
又、本発明の他の要旨は、前記一般式（II）におけるＺが、水酸基を有する脂環式構造を含む２価の連結基であることを特徴とする前記のカラーフィルター用組成物に存する。
又、本発明の他の要旨は、前記一般式（Ｉ）及び（II）で表される繰り返し単位を有する重合体の重量平均分子量が５０００以上である前記のカラーフィルター用組成物に存する。
又、本発明の他の要旨は、前記のカラーフィルター用組成物を用いて形成されたカラーフィルターに存する。
又、本発明の他の要旨は、前記のカラーフィルターを用いて形成された液晶表示装置に存する。
【手続補正３】
【補正対象書類名】明細書
【補正対象項目名】００１６
【補正方法】変更
【補正の内容】
【００１６】
本発明の着色感光性組成物は下記（１）〜（６）の６成分を必須成分として含有し、その他任意成分（７）を含み得るものである。また、本発明のカラーフィルター用組成物は下記（１）〜（４）及び（６）の５成分を必須成分として含有し、その他任意成分（７）を含み得るものである。以下、各成分の内容及び配合量について詳述する。